(57)【要約】【課題】自動検出、項目ヘルプ及び広告スペースを含む初期セットアップを提供する。【解決手段】デジタル装置が、グラフィックユーザインターフェイス（ＧＵＩ）と初期セットアップモジュールとを表示するデータ処理ユニットを含む。初期セットアップモジュールは、自動検出モジュール、項目ヘルプモジュール、及び広告モジュールを含む。自動検出モジュールは、デジタル装置に接続されたネットワーク、テレビケーブル、及び複数の入力の少なくとも１つを自動検出して、この自動検出の結果を含む接続リストを第２のパネルに追加する。項目ヘルプモジュールは、ユーザが初期セットアップのステップを理解する補助となるテキスト、画像及びアニメーションのうちの少なくとも１つを第１のパネルに表示する。広告モジュールは、デジタル装置がロード中のときに第１のパネルに広告を表示する。【選択図】図１
2012089118.tif 000002
【特許請求の範囲】
【請求項１】
第１のパネルと第２のパネルとを含むグラフィックユーザインターフェイス（ＧＵＩ）を表示するようになっているデータ処理ユニットと、
前記データ処理ユニットに結合された初期セットアップモジュールと、
を備えたデジタル装置であって、前記初期セットアップモジュールが、
（ｉ）前記デジタル装置に接続されたネットワーク、テレビケーブル、及び複数の入力のうちの少なくとも１つを自動検出し、該自動検出の結果を含む接続リストを前記第２のパネルに追加するための自動検出モジュールと、
（ｉｉ）テキスト、画像及びアニメーションのうちの少なくとも１つを前記第１のパネルに表示するための項目ヘルプモジュールと、
（ｉｉｉ）前記デジタル装置がロード中のときに前記第１のパネルに広告を表示するための広告モジュールと、
を含み、
前記第２のパネルの前記接続リストが、選択可能テキストを含み、
前記ネットワークが検出されて前記第２のパネルに前記選択可能テキストの一部として表示された場合、前記第１のパネルに表示されたテキスト、画像及びアニメーションのうちの少なくとも１つが、前記第２のパネルで選択されたネットワークの種類を表し、
前記複数の入力が検出されて前記第２のパネルに前記選択可能テキストの一部として表示された場合、前記第１のパネルに表示されたテキスト、画像及びアニメーションのうちの少なくとも１つが、前記複数の検出された入力のリストを表し、
前記デジタル装置が、少なくとも前記自動検出モジュールが自動検出中の場合、又は前記項目ヘルプモジュールが、表示するテキスト、画像及びアニメーションのうちの少なくとも１つをロード中の場合にロード中となる、
ことを特徴とするデジタル装置。
【請求項２】
前記ネットワークの種類が、有線及び無線ネットワークの少なくとも一方を含む、
ことを特徴とする請求項１に記載のデジタル装置。
【請求項３】
前記ネットワークの種類が有線ネットワークを含む場合、前記項目ヘルプモジュールが、少なくとも前記デジタル装置のイーサネット入力にイーサネットコードが接続されていることを示すアニメーションを表示する、
ことを特徴とする請求項２に記載のデジタル装置。
【請求項４】
前記複数の入力が、１又はそれ以上のＨＤＭＩ入力及び１又はそれ以上のビデオコンポーネント入力を含む、
ことを特徴とする請求項１に記載のデジタル装置。
【請求項５】
ビデオゲーム機、ＤＶＤプレーヤ、オーディオシステム、ケーブルセットトップボックス、衛星ボックス及びモデムの少なくとも１つをさらに含み、これらが前記複数の入力にそれぞれ接続される、
ことを特徴とする請求項１に記載のデジタル装置。
【請求項６】
前記テレビケーブル及び前記ネットワークが検出されて、前記第２のパネルに前記選択可能テキストの一部として表示された場合、前記自動検出モジュールが、地域、現在の日付及び時刻を自動プログラムする、
ことを特徴とする請求項１に記載のデジタル装置。
【請求項７】
前記複数の入力が検出されて、前記第２のパネルに前記選択可能テキストの一部として表示された場合、分類された複数の入力の各々にそれぞれ関連付けるための編集可能ラベル及び選択可能アイコンを前記第２のパネルに表示する、
ことを特徴とする請求項１に記載のデジタル装置。
【請求項８】
前記データ処理ユニット及び前記初期セットアップモジュールが、単一の集積回路上に実装される、
ことを特徴とする請求項１に記載のデジタル装置。
【請求項９】
前記自動検出モジュールが、前記ネットワーク、前記テレビケーブル及び前記複数の入力への接続を自動検出するように構成される、
ことを特徴とする請求項１に記載のデジタル装置。
【請求項１０】
第１のパネルと第２のパネルとを含むグラフィックユーザインターフェイス（ＧＵＩ）を表示する画面を含むデジタル装置の初期セットアップを実施する方法であって、前記方法が、
前記デジタル装置に接続されたネットワーク及び複数の入力の少なくとも一方を自動検出し、この自動検出処理中に、前記第１のパネルが広告を表示するステップと、
前記自動検出の結果を含む接続リストを前記第２のパネルに追加するステップと、
前記自動検出の結果が前記ネットワークを含む場合、（ｉ）セットアップ対象の複数の種類のネットワークを前記第２のパネルに表示すること、及び（ｉｉ）前記第２のパネル内で強調表示されたネットワークの種類を表すテキスト、画像及びアニメーションのうちの少なくとも１つを前記第１のパネルに表示することにより、前記ユーザを前記検出されたネットワークのセットアップにガイドするステップと、
前記自動検出の結果が前記複数の入力を含む場合、（ｉ）分類対象の前記複数の検出された入力のリストを前記第２のパネルに表示すること、及び（ｉｉ）前記複数の検出された入力のリストを表すテキスト、画像、及びアニメーションのうちの少なくとも１つを前記第１のパネルに表示することにより、前記ユーザを前記複数の検出された入力の各々のセットアップにガイドするステップと、
を含むことを特徴とする方法。
【請求項１１】
前記自動検出が、テレビケーブルを検出することを含む、
ことを特徴とする請求項１０に記載の方法。
【請求項１２】
前記自動検出の結果が、前記テレビケーブル及び前記ネットワークを含む場合、地域、現在の日付及び時刻を自動プログラムするステップと、
前記自動検出の結果が、前記テレビケーブルを含むが前記ネットワークを含まない場合、（ｉ）前記地域、前記現在の日付及び時刻を入力するように前記ユーザを促すこと、及び（ｉｉ）前記ユーザが入力した地域、現在の日付及び時刻を自動プログラムすることにより、前記ユーザを前記テレビケーブルのセットアップにガイドするステップと、
をさらに含むことを特徴とする請求項１１に記載の方法。
【請求項１３】
前記複数の入力が、１又はそれ以上のＨＤＭＩ入力及び１又はそれ以上のビデオコンポーネント入力を含む、
ことを特徴とする請求項１０に記載の方法。
【請求項１４】
前記複数の検出された分類対象の入力のリストを前記第２のパネルに表示するステップが、前記複数の検出された分類対象の入力の各々にそれぞれ関連付けるための編集可能テキスト及び選択可能アイコンを表示するステップを含む、
ことを特徴とする請求項１０に記載の方法。
【請求項１５】
デジタル装置であって、
第１のパネルと第２のパネルとを含むグラフィックユーザインターフェイス（ＧＵＩ）を表示するようになっている画面と、
（１）前記デジタル装置に接続されたネットワーク及び複数の入力の少なくとも一方を自動検出し、（２）ネットワーク及び複数の入力の少なくとも一方を自動検出する処理中に前記ＧＵＩの第１のパネル内に広告を表示し、（３）前記ネットワーク及び前記複数の入力の少なくとも一方を含む前記自動検出の結果を含む接続リストを前記第２のパネルに追加するためのデータ処理ユニットと、
を備え、
前記自動検出の結果が前記ネットワークを含む場合、（ｉ）セットアップ対象の複数の種類のネットワークを前記第２のパネルに表示すること、及び（ｉｉ）前記第２のパネル内で強調表示されたネットワークの種類を表すテキスト、画像及びアニメーションのうちの少なくとも１つを前記第１のパネルに表示することにより、前記ユーザを前記検出されたネットワークのセットアップにガイドし、
前記自動検出の結果が前記複数の入力を含む場合、（ｉ）分類対象の前記複数の検出された入力のリストを前記第２のパネルに表示すること、及び（ｉｉ）前記複数の検出された入力のリストを表すテキスト、画像、及びアニメーションのうちの少なくとも１つを前記第１のパネルに表示することにより、前記ユーザを前記複数の検出された入力の各々のセットアップにガイドする、
ことを特徴とするデジタル装置。
【発明の詳細な説明】
【技術分野】
【０００１】
本発明の実施形態は、デジタル装置の初期セットアップに関する。より詳細には、本発明の１つの実施形態は、自動検出、テキスト、画像及びアニメーションを使用した項目ヘルプを含み、ロード時間及びセットアップ処理中に広告を含む、デジタル装置の初期セットアップを実施するための装置及び方法に関する。
【背景技術】
【０００２】
近年では、テレビがより多くの機能及び能力を提供している。例えば、今やテレビは、ビデオゲーム機、インターネット、及び複雑なオーディオシステムにインターフェイス接続することができる。これらの新たな機能により、テレビの初期セットアップがユーザにとって益々複雑になってきている。
【０００３】
例えば、テレビの最初の起動時に、使用言語を選択することなどの単純なセットアップから、ホームインターネットネットワークを識別すること、及びデジタル装置の外部入力部の各々に接続された外部システムを区別することなどのより複雑なタスクを行うようにユーザを促すことがある。
【発明の概要】
【発明が解決しようとする課題】
【０００４】
現在のシステムは、このテレビの初期セットアップを完了するための段階的なガイドしかユーザに提供しない。通常、このガイドには文字による質問及び指示が伴う。例えば、現在の初期セットアップシステムは、ユーザに、「インストールするネットワークがありますか？」及び「このネットワークは有線ネットワークですか、又は無線ネットワークですか？」と尋ねることがある。技術的知識のあるユーザであれば、この種の質問を理解して、有線又は無線ホームネットワークをデジタル装置が認識するように正しくセットアップすることができる。しかしながら、多くのユーザにとっては、これらの種類の質問を理解するためにさらなる支援が有効となり得る。
【０００５】
また、セットアップオプションの各々を処理又はロードしている最中、現在のセットアップシステムは、空白画面又は「進行中」を示す種類のアニメーションしか表示しない。ユーザは、この時間中何もすることがなく、有用な情報を受けることもない。
【課題を解決するための手段】
【０００６】
デジタル装置の初期セットアップを実施するための装置及び方法の実施形態について説明する。
【０００７】
１つの実施形態によれば、デジタル装置などの装置が、グラフィックユーザインターフェイス（ＧＵＩ）を表示するためのデータ処理ユニットを含む。このＧＵＩは、第１のパネル及び第２のパネルを含む。デジタル装置は、データ処理ユニットに結合された初期セットアップモジュールを含むこともできる。初期セットアップモジュールは、自動検出モジュール、項目ヘルプモジュール、及び広告モジュールを含むことができる。自動検出モジュールは、デジタル装置に接続されたネットワーク、テレビケーブル、及び複数の入力のうちの少なくとも１つを自動検出する。複数の入力は、例えばＨＤＭＩ入力及びビデオコンポーネントを含むことができる。この複数の入力の各々には、ビデオゲーム機、ＤＶＤプレーヤ、オーディオシステム、ケーブルセットトップボックス、衛星ボックス及びモデムなどの外部装置をそれぞれ接続することができる。自動検出モジュールは、自動検出の結果を含む接続リストを第２のパネルに追加することもできる。この接続リストは、選択可能テキストを含むこともできる。
【０００８】
項目ヘルプモジュールは、テキスト、画像及びアニメーションのうちの少なくとも１つを第１のパネルに表示して、ユーザが初期セットアップの各ステップにおいて理解し、十分な情報に基づいて決定を行う補助をする。例えば、ネットワークが検出され、これが選択可能テキストの一部として第２のパネルに表示された場合、第１のパネルに表示されたテキスト、画像及びアニメーションのうちの少なくとも１つが、第２のパネルで選択されたネットワークの種類を表す。ネットワークの種類は、有線及び無線ネットワークを含むことができる。１つの実施形態では、ネットワークが有線ネットワークを含む場合、項目ヘルプモジュールが、少なくともデジタル装置のイーサネット入力にイーサネットコードが接続されていることを示すアニメーションを表示する。別の実施形態では、複数の入力が検出され、これらが選択可能テキストの一部として第２のパネルに表示された場合、第１のパネルに表示されたテキスト、画像及びアニメーションのうちの少なくとも１つが、複数の検出された入力のリストを表す。１つの実施形態では、第２のパネルが編集可能テキスト及び選択可能アイコンも表示し、ユーザは、分類した複数の入力の各々に関連付けるようにこれらをそれぞれ編集及び選択することができる。別の実施形態では、テレビケーブル及びネットワークが検出され、これらが選択可能テキストの一部として第２のパネルに表示された場合、自動検出モジュールが、地域、現在の日付及び時刻をデジタル装置に関連付けるように自動プログラムすることもできる。
【０００９】
広告モジュールは、デジタル装置がロード中の場合に第１のパネルに広告を表示する。１つの実施形態では、少なくとも自動検出モジュールが自動検出中である場合、又は項目ヘルプモジュールが、表示するテキスト、画像及びアニメーションのうちの少なくとも１つをロード中である場合にデジタル装置がロード中となる。広告モジュールは、初期セットアップが完了した時点でも広告を表示することができる。
【００１０】
別の実施形態によれば、第１及び第２のパネルを含むＧＵＩを表示する画面を含むデジタル装置の初期セットアップを実施するための方法が、デジタル装置に接続されたネットワーク、テレビケーブル、及び複数の入力のうちの少なくとも１つを自動検出することによって開始し、第１のパネルが、自動検出処理中に広告を表示する。その後、自動検出の結果を含む接続リストが第２のパネルに追加される。自動検出の結果がネットワークを含む場合、ユーザが、検出されたネットワークのセットアップにガイドされる。この検出されたネットワークのセットアップは、セットアップ対象の複数の種類のネットワークを第２のパネルに表示し、第２のパネル内で強調表示されたネットワークの種類を表すテキスト、画像及びアニメーションのうちの少なくとも１つを第１のパネルに表示することによって開始する。例えば、第２のパネルで強調表示されたネットワークの種類が有線ネットワークである場合、デジタル装置のイーサネット入力にイーサネットコードが接続されていることを示すアニメーションを第１のパネルに表示することができる。１つの実施形態では、自動検出の結果が複数の入力を含む場合、複数の検出された入力の各々のセットアップにユーザをガイドすることができる。このガイドされる検出された入力のセットアップは、複数の検出された入力のリストを追加するステップと、分類対象の複数の検出された入力のリストを第２のパネルに表示するステップと、複数の検出された入力のリストを表すテキスト、画像、及びアニメーションのうちの少なくとも１つを第１のパネルに表示するステップとを含むことができる。１つの実施形態では、表示するテキスト、画像及びアニメーションの少なくとも１つがロードされるときに第１のパネルが広告を表示することができる。別の実施形態では、分類対象の複数の検出された入力のリストを第２のパネルに表示する場合、第２のパネルに編集可能テキスト及び選択可能アイコンを表示することもできる。従って、ユーザは、分類対象の複数の検出された入力の各々に関連付けるようにそれぞれテキストを編集してアイコンを選択することができる。
【００１１】
１つの実施形態では、自動検出の結果がテレビケーブル及びネットワークを含む場合、地域、現在の日付及び時刻をデジタル装置に関連付けるように自動プログラムすることができる。別の実施形態では、自動検出の結果がテレビケーブルを含むがネットワークを含まない場合、地域、現在の日付及び時刻を入力するようにユーザを促し、ユーザが入力した地域、現在の日付及び時刻をデジタル装置に関連付けるように自動プログラムすることによって、ユーザをテレビケーブルのセットアップにガイドすることができる。
【００１２】
さらに別の実施形態では、コンピュータ可読記憶媒体が、コンピュータにより実行されたときに、デジタル装置に接続されたネットワーク、テレビケーブル、及び複数の入力のうちの少なくとも１つを自動検出するステップと、自動検出処理中に広告を表示するステップとを含む動作をコンピュータに実行させる命令を記憶しておくことができる。その後、自動検出の結果を含む接続リストが第２のパネルに追加される。上記のように、検出されたネットワークのセットアップ、複数の検出された入力の各々のセットアップ、及び／又はテレビケーブルのセットアップにユーザをガイドすることができる。さらに、上記のように、テキスト、画像及びアニメーションのうちの少なくとも１つを表示してユーザに項目ヘルプを提供することができる。
【００１３】
上記の要約は、本発明の全ての態様の完全なリストを含むものではない。本発明は、上記で要約した様々な態様の全ての好適な組み合わせにより実施できる全てのシステム及び方法、並びに以下の詳細な説明で開示し、本出願と併せて出願する特許請求の範囲で特に指摘するものを含むものとする。このような組み合わせは、上記の要約には具体的に示していない特別な利点を有することができる。
【００１４】
同じ参照が同様の要素を示す添付図面の図に、本発明の実施形態を限定としてではなく一例として示す。
【図面の簡単な説明】
【００１５】
【図１】本発明のいくつかの実施形態によるシステムの例示的なブロック図である。
【図２】本発明の１つの実施形態によるデジタル装置内に実装される初期セットアップモジュールの例示的なブロック図である。
【図３】本発明の１つの実施形態によるグラフィックユーザインターフェイス（ＧＵＩ）の例図である。
【図４】本発明のいくつかの実施形態による方法の例示的なフロー図である。
【発明を実施するための形態】
【００１６】
以下の説明では、数多くの特定の詳細を記載する。しかしながら、本発明の実施形態は、これらの特定の詳細を伴わずに実施することができる。その他の場合、本説明の理解を曖昧にしないために、周知の回路、構造、及び技術については図示していない。
【００１７】
本説明では、「デジタル装置」という用語は、あらゆるコンテンツプロバイダからの送信を調整し、受信し、解読し、デスクランブルし、及び／又は復号するようになっているテレビを意味することができる。「コンテンツプロバイダ」の例としては、地上放送局、ケーブル又は衛星テレビ配信システム、或いはインターネット、又はインターネットサービスプロバイダなどのその他のインターネットプロトコル（ＩＰ）ベースのネットワークを介してダウンロード用のコンテンツを提供する会社を挙げることができる。しかしながら、デジタル装置は、セットトップボックス、携帯情報端末（ＰＤＡ）、コンピュータ、携帯電話、ビデオゲーム機、ＳＯＮＹ（登録商標）ＰＳＰ（登録商標）プレーヤ又はＡＰＰＬＥ（登録商標）ビデオｉＰＯＤ（商標）などのポータブルビデオプレーヤ、デジタルビデオレコーダなどの、テレビ以外の別のフォームファクタであってもよいものとする。
【００１８】
以下の説明では、本発明の特徴を説明するためにいくつかの専門用語を使用する。例えば、いくつかの状況では、「コンポーネント」、「ユニット」、「モジュール」、及び「論理」という用語は、１又はそれ以上の機能を実行するように構成されたハードウェア及び／又はソフトウェアを示す。例えば、「ハードウェア」の例として、以下に限定又は制限するわけではないが、（デジタルシグナルプロセッサ、マイクロプロセッサ、特定用途向け集積回路、マイクロコントローラのような）プロセッサなどの集積回路が挙げられる。当然ながら、ハードウェアを、代わりに有限状態機械、さらには組み合わせ論理として実装することもできる。
【００１９】
「ソフトウェア」の例としては、アプリケーションの形の実行可能コード、アプレット、ルーチン、さらには一連の命令さえもが挙げられる。ソフトウェアは、プログラマブル電子回路、（ランダムアクセスメモリなどの）揮発性メモリ及び／又は（あらゆる種類の読み出し専用メモリ「ＲＯＭ」、フラッシュメモリなどの）不揮発性メモリなどの半導体メモリ装置、フロッピーディスケット、（コンパクトディスク又はデジタルビデオディスク「ＤＶＤ」などの）光学ディスク、ハードドライブディスク、テープなどのあらゆる種類の機械可読媒体に記憶することができる。
【００２０】
本発明は、多くの異なる形の実施形態が可能であるが、このような実施形態の開示は原理の一例として見なすべきであり、図示及び説明する特定の実施形態に本発明を限定することを意図するものではないという理解の下、図面に特定の実施形態を示し本明細書で詳細に説明する。
【００２１】
Ｉ．一般的アーキテクチャ
図１を参照すると、本発明のいくつかの実施形態によるシステム１の例示的なブロック図を示している。システム１は、デジタル装置１０、及びセットトップボックス２０、モデム３０、ビデオゲーム機４０、オーディオシステム５０及びＤＶＤプレーヤ６０を含む外部装置を含む。デジタル装置１０は、通信経路として動作する１又はそれ以上の伝送媒体７０を介して外部装置の各々に結合される。伝送媒体７０としては、以下に限定されるわけではないが、電線、光ファイバ、ケーブル、又は無線信号送信回路により構築された無線リンクなどを挙げることができる。
【００２２】
デジタル装置１０は、ケーブルテレビセットトップボックスであっても又は衛星テレビセットトップボックスであってもよいセットトップボックス２０からテレビ番組などのデジタルコンテンツを受信する。モデム３０は、デジタル装置が有線イーサネット接続又は無線接続を介してインターネットにアクセスできるようにするケーブルモデムとすることができる。
【００２３】
デジタル装置１０の複数の入力には、セットトップボックス２０、ビデオゲーム機４０、オーディオシステム５０、及びＤＶＤプレーヤ６０を接続することができる。複数の入力は、ＨＤＭＩ入力及びビデオコンポーネント入力を含むことができる。
【００２４】
ここで図２を参照すると、システム１のデジタル装置１０の例図を示している。デジタル装置１０は、電源ユニット２２０、データ処理ユニット２１０、及び初期セットアップモジュール２００を含む。これらのコンポーネントは、別個の集積回路として、又は図示のように単一の集積回路（システムオンチップの実装）として実装することができる。
【００２５】
電源ユニット２２０は、データ処理ユニット２１０に電力を供給するようになっている。電源ユニット２２０は、（１１０ボルト交流電流「ＶＡＣ」、２２０ＶＡＣなどの）壁コンセント、又は車内の電源コネクタなどの電源から受け取った入力電力に基づく調整電力を供給することができる。
【００２６】
データ処理ユニット２１０は、（中央処理装置などの）プロセッサ２１１及びグラフィクスコンポーネント２１２を含む。これらのコンポーネントは、別個の集積回路として、又は図示のように単一の集積回路（システムオンチップの実装）として実装することができる。
【００２７】
１つの実施形態によれば、プロセッサ２１１が、初期セットアップモジュール２００から受け取った命令を実行することができる。グラフィクスコンポーネント２１２は、ユーザをデジタル装置１０の初期セットアップにガイドするオンスクリーングラフィックユーザインターフェイス（ＧＵＩ）を表示するようになっている。例えば、プロセッサ２１１を、初期セットアップモジュール２００からデータを収集するように構成し、グラフィクスコンポーネント２１２がこのデータをＧＵＩとして表示するようにすることができる。
【００２８】
１つの実施形態では、初期セットアップモジュール１００が、自動検出モジュール２０１、項目ヘルプモジュール２０２及び広告モジュール２０３を含む。
【００２９】
自動検出モジュール２０１は、デジタル装置に接続されたネットワーク、テレビケーブル、及び複数の入力のうちの少なくとも１つを自動検出することができる。従って、自動検出モジュール２０１は、デジタル装置１０の初期セットアップにおけるいずれのステップをユーザに適用するかを迅速に決定することができる。例えば、ＨＤＭＩ１などの複数の入力の１つにケーブルセットトップボックス２０を接続することができる。自動検出モジュール２０１は、ＨＤＭＩ１が接続されていてテレビケーブルが接続されていないことを自動検出することにより、ユーザがＨＤＭＩ１の入力接続のセットアップを必要としており、ＴＶチューナのセットアップを必要としていないと判断する。他の実施形態では、自動検出モジュール２０１が、省エネ設定を有効にすべきかどうかを自動検出するとともに、地域、現在の日付及び時刻をデジタル装置１０に関連付けるように自動プログラムすることができる。
【００３０】
１つの実施形態では、自動検出モジュール２０１による自動検出の結果を使用して、ＧＵＩに表示する接続リストを追加する。１つの実施形態では、接続リストが、ユーザが選択できるテキストを含む。例えば、接続リストは、「ネットワーク」、「ＴＶ」及び「入力」というテキスト要素、及び個々のテキストの前にそれぞれのチェックボックスを含むことができる（図３を参照）。自動検出モジュール２０１が、デジタル装置１０に接続されたネットワーク及び複数の入力を自動検出した場合、「ネットワーク」及び「入力」という要素の前のチェックボックスがチェックマークを含むことができる。ユーザが「ネットワーク」を選択した場合、初期セットアップモジュールは、ユーザをネットワーク接続セットアップにガイドする。また、ユーザは、チェックマークをチェックボックスに追加し又はチェックボックスから取り外すことにより、リストされた要素のいずれかの選択又は非選択を行うことができる。
【００３１】
項目ヘルプモジュール２０２は、テキスト、画像及びアニメーションのうちの少なくとも１つを表示して、ユーザがセットアップステップを理解し、従ってセットアップの各ステップにおいてより多くの情報に基づいて決定を行う補助をすることができる。例えば、自動検出ユニットがネットワークを自動検出した場合、ネットワークの種類を選択可能テキストとしてＧＵＩに表示することができる。ネットワークの種類は、有線又は無線ネットワークを含むことができる。ＧＵＩで有線ネットワークが強調表示されている場合、項目ヘルプモジュール２０２は、有線ネットワークを表すテキスト、画像及び／又はアニメーションを表示することができる。例えば、項目ヘルプモジュール２０２は、デジタル装置のイーサネット入力にイーサネットコードが接続されていることを示すアニメーションを表示することができる。
【００３２】
他の例では、複数の入力が自動検出されてＧＵＩに表示された場合、項目ヘルプモジュール２０２が、複数の検出された入力のリストを表すテキスト、画像及びアニメーションを表示する。例えば、項目ヘルプモジュール２０２は、「右のリストは、検出した接続されている入力です。」というテキストを表示することができる。１つの実施形態では、複数の入力が検出され、これらが選択可能テキストの一部として表示された場合、編集可能ラベル及び選択可能アイコンが表示される。このとき、ユーザは、編集したラベル及び選択したアイコンを、分類された複数の入力の各々にそれぞれ関連付けることができる。
【００３３】
１つの実施形態では、デジタル装置１０がロード中又は作業中である場合、広告モジュール２０３がＧＵＩに広告を表示する。デジタル装置のロード又は作業時間中、通常であれば、ユーザには空白画面又は（時計、メータ、又は「進行中」という単語などの）「進行中」の画像が示される。広告モジュール２０３は、ユーザの空いた時間を利用して、デジタル装置の機能、又はデジタル装置とともに動作する購入可能な追加製品を示すことができる広告を表示する。また、広告を画面の一部に表示することにより画面全体を使用しないので、広告が重要な初期セットアップ情報と張り合うことはない。
【００３４】
１つの実施形態では、自動検出モジュール２０１が自動検出中である場合、又は項目ヘルプモジュール２０２が、表示されるテキスト、画像及びアニメーションをロード中である場合にデジタル装置１０がロード中となる。別の実施形態では、広告モジュール２０３が、セットアップが完了した時点でも広告を表示する。
【００３５】
ここで図３を参照すると、デジタル装置１０が表示するグラフィックユーザインターフェイス（ＧＵＩ）の例図を示している。ＧＵＩ３００は、第１のパネル３０１及び第２のパネル３０２を含む。１つの実施形態では、項目ヘルプモジュール２０２が、テキスト、画像及びアニメーションを第１のパネル３０１に表示することができ、自動検出モジュール２０１が、自動検出の結果を含む接続リストを第２のパネル３０２に表示する。別の実施形態では、広告モジュール２０３が表示する広告を、第１のパネル３０１の少なくとも一部に含めることができる。この結果、重要な初期セットアップ情報及び選択可能テキストが第２のパネル３０２に表示され、従って第１のパネル３０１に表示される広告及び項目ヘルプテキスト、画像又はアニメーションによって邪魔されることはない。
【００３６】
ＩＩ．初期セットアップ処理
ここで図４を参照すると、デジタル装置１０の初期セットアップを実施する方法のフロー図を示している。方法４００は、デジタル装置１０を初めてオンにすることにより開始する（ブロック４０１）。次に、デジタル装置１０に接続されたネットワーク、テレビケーブル、及び複数の入力のうちの少なくとも１つが自動検出される（ブロック４０２）。１つの実施形態では、ネットワーク、テレビケーブル及び複数の入力が自動検出されている間に、ＧＵＩの第１のパネル３０１が広告を表示することができる。ブロック４０３において、ブロック４０２の自動検出の結果を使用して接続リストが追加される。例えば、ネットワーク及び複数の入力が自動検出された場合、接続リストは、第２のパネル３０２に表示された「ネットワーク」及び「入力」というテキストの隣りのチェックボックスにチェックマークを含むことができる。さらに、ユーザは、セットアップしたい機能を選択するためにチェックボックスにチェックし、又はチェックを外すことができる。１つの実施形態では、接続リストが空白である場合、ＧＵＩが、先に進む前に何らかの外部装置への接続をユーザに促すテキスト、画像又はアニメーションを表示する。
【００３７】
自動検出の結果がネットワークを含み、ブロック４０４において、ユーザがネットワークのセットアップを継続することを第２のパネルから選択した場合、ユーザは検出されたネットワークのセットアップにガイドされる。第２のパネル３０２に、セットアップできる複数の種類のネットワークが表示される。ネットワークの種類は、例えば有線又は無線ネットワークを含むことができる。ユーザは、所望の種類のネットワークを強調表示させることにより、セットアップするネットワークの種類を第２のパネルから選択することができる。次に、強調表示されているネットワークの種類を表すテキスト、画像及び／又はアニメーションが第１のパネル３０１に表示される。例えば、１つの実施形態では、第２のパネル３０２で強調表示されているネットワークの種類が有線ネットワークである場合、第１のパネル３０１は、有線ネットワークに含まれるものをユーザに示すために、デジタル装置１０のイーサネット入力にイーサネットコードが接続されていることを示すアニメーションを表示する。１つの実施形態では、第１のパネル３０１が、表示するテキスト、画像及び／又はアニメーションがロードされるときにも広告を表示することができる。
【００３８】
さらに、自動検出の結果が複数の入力を含み、ブロック４０５において、ユーザが入力セットアップを継続することを第２のパネルから選択した場合、ユーザは複数の検出された入力の各々のセットアップにガイドされる。分類対象の複数の検出された入力のリストが第２のパネル３０２に表示され、複数の検出された入力のリストを表すテキスト、画像、及び／又はアニメーションが第１のパネル３０１に表示される。１つの実施形態では、ユーザが、検出された入力のリストから入力の１つを選択すると、編集可能テキスト及び選択可能アイコンが第２のパネル３０２に表示され、ユーザは、選択した入力にこれらを関連付けることができる。例えば、ユーザが、ゲーム機に接続されたＨＤＭＩ１入力を選択した場合、ユーザは、ＨＤＭＩ１のラベルを「ゲーム機」を示すように編集し、ゲームのリモコン装置に似たアイコンを選択することができる。
【００３９】
１つの実施形態では、テレビケーブル及びネットワークの両方が自動検出された場合、地域、現在の日付及び時刻を自動プログラムすることができる。別の実施形態では、自動検出の結果がテレビケーブルを含むがネットワークを含まない場合、地域、現在の日付及び時刻を入力するようにユーザを促し、ユーザが入力した地域、現在の日付及び時刻をデジタル装置１０に関連付けるように自動プログラムすることにより、ユーザをテレビケーブルのセットアップにガイドする。
【００４０】
別の実施形態では、ブロック４０１において、デジタル装置１０に接続されたネットワーク、テレビケーブル、及び／又は複数の入力を自動検出する前に、初期セットアップを実施する方法が、使用言語を選択するようにユーザを促すとともに、省エネ設定を有効にすべきかどうかを自動検出することができる。１つの実施形態では、デジタル装置が位置する（家庭又は小売店などの）視聴環境を選択するようにユーザを促すことができる。この視聴環境に基づいて、最適な省エネ設定が自動検出される。
【００４１】
上述の説明では、本発明の特定の例示的な実施形態を参照しながら本発明について説明した。しかしながら、添付の特許請求の範囲に記載する本発明のより広い思想及び範囲から逸脱することなく、本発明に様々な修正及び変更を行うことができることが明らかであろう。従って、明細書及び図面は、限定的な意味ではなく例示的な意味で評価すべきである。
【図１】
2012089118.tif 000003
【図２】
2012089118.tif 000004
【図３】
2012089118.tif 000005
【図４】
2012089118.tif 000006
【外国語明細書】
2012089118.tif 000007
2012089118.tif 000008
2012089118.tif 000009
2012089118.tif 000010
2012089118.tif 000011
2012089118.tif 000012
2012089118.tif 000013
2012089118.tif 000014
2012089118.tif 000015
2012089118.tif 000016
2012089118.tif 000017
2012089118.tif 000018
2012089118.tif 000019
2012089118.tif 000020
2012089118.tif 000021
2012089118.tif 000022
2012089118.tif 000023
2012089118.tif 000024
2012089118.tif 000025